(57)【要約】【目的】アレルゲン不活性化剤と吸湿性組成物を含有する抗アレルゲン組成物を加工した抗アレルゲン繊維製品を提供することを目的とする。【構成】アレルゲン不活性化剤と無機塩類等の吸湿性組成物を含有する抗アレルゲン組成物を加工することを特徴とする、絨毯、畳、寝具、マスク、カーテン、ぬいぐるみ、集塵袋等の繊維製品に関する。抗アレルゲン繊維製品によって環境中のアレルゲンを不活性化し、アレルギー疾患の原因を低減させることができる。【特許請求の範囲】
【請求項１】
アレルゲン不活性化剤と吸湿性無機化合物を含有することを特徴とする抗アレルゲン繊維製品。
【請求項２】
吸湿性無機化合物がアルカリ土類金属塩から選択される少なくとも一種類の塩であることを特徴とする請求項１記載の抗アレルゲン繊維製品。
【請求項３】
アレルゲン不活性化剤がタンニン酸、ガロタンニン、エピカテキンガレート、エピカテキン、エピガロカテキン、エピガロカテキンガレートから選ばれる少なくとも一種類であることを特徴とする請求項１または２記載の抗アレルゲン繊維製品。
【請求項４】
アレルゲン不活性化剤がタンニン酸であることを特徴とする請求項１〜３記載の抗アレルゲン繊維製品。
【請求項５】
抗アレルゲン繊維製品が絨毯、畳、寝具、マスク、カーテン、ぬいぐるみ、集塵袋であることを特徴とする請求項１〜４に記載の抗アレルゲン繊維製品。
【発明の詳細な説明】
【技術分野】
【０００１】
本発明は、環境中のアレルゲンを不活性化するための抗アレルゲン繊維及び繊維製品に関するものである。
【背景技術】
【０００２】
喘息やアトピー性皮膚炎などのアレルギー性疾患は、長年にわたり、多くの人が悩まされてきたものである。これらのアレルギー性疾患の原因として、屋内に棲息するダニやペットの毛、花粉、カビが代表的なものとして、良く知られている。現在、アレルギー患者の治療には主に薬物療法が適用されているが、一方では、アレルギーを引き起こす因子であるアレルゲンを患者自身の生活環境から除去することも直接、アレルゲンへの暴露から患者を守るという合理的な手段である。このようなアレルゲン除去による症状改善は、日本の他、ヨーロッパやアメリカにおいても報告がなされている。
【０００３】
畳、絨毯、寝具、カーテン等の家屋内にある繊維製品はダニの生育の温床となることが多く、ダニが繁殖するためにアレルギーを引き起こす原因となり問題になっている。ダニには、ツメダニ、コナダニ等の種類があり、それらの内コナヒョウヒダニ  Dermatophagoides farinae 、ヤケヒョウヒダニ  Dermatophagoides pteronyssinusはダニアレルギーを引き起こす原因として重要視されている。これらのダニは、虫体そのものがダニアレルゲンになるだけでなく、ダニの死骸や糞も非常に強いアレルゲンとなる。カビは湿度の高い場所に発生しやすく、肺に吸い込まれた場合にはアレルゲンとなる。植物アレルゲンとしては各種植物の花粉が挙げられ、花粉には、スギ、ヒノキ、ブタクサ、オオアワガエリ、ケヤキ、ヨモギ、ハルガヤ等のものがアレルギーの原因となることが知られている。
【０００４】
畳、寝具、カーテン、ぬいぐるみ等の繊維でできた装飾品についてもダニの繁殖の可能性があるためアレルゲンの発生源となる問題がある。また、マスクはスギ等の花粉を吸入するのを防ぐために用いられているが、マスクに付着した花粉はアレルゲン性が消失するわけではないので、再び飛散することによって吸収してしまう危険性がある。電気掃除機はアレルゲン除去の方法として有効であるが、吸引したゴミに含まれる多量のアレルゲンは集塵袋に貯蔵されるだけであり、集塵袋の廃棄時にアレルゲンが再飛散する危険性が考えられる。
【０００５】
アレルゲン除去の方法としては、電気掃除機による吸引、空気清浄機による除去や寝具の高密度カバーの使用などがあげられる。しかしながら、電気掃除機による吸引だけでは除去できるアレルゲン量に限界があり、空気清浄機では空中に舞うアレルゲンのみの除去になる。また、寝具の高密度カバーでは内側からのアレルゲン除去にはなるが外側からのアレルゲン除去にはならないなど、これらの方法は必ずしも満足できるものではなかった。
【０００６】
アレルゲン物質のアレルギー性を低減あるいは不活性化させるための薬剤に関しては、種々の提案が行われている。例えば、（特許文献１）にはタンニン酸をアレルゲンの不活性化剤として使用する方法、（特許文献２）には茶抽出物、ハイドロキシアパタイト、エピカテキン、エピガロカテキン、エピカテキンガレート、エピガロカテキンガレート、没食子酸及び没食子酸と炭素数１から４までのアルコールとのエステルをアレルゲンの不活性化剤として使用する方法が提案されている。しかし、これらのアレルゲン不活性化剤は、通常はその水溶液をベースとした製剤を環境中に噴霧し不活性化させるもので、不活性化反応には水分が必須である。従って、このようなアレルゲン不活性化剤をフィルター材に加工した場合には、水分がないためにアレルゲンをフィルター上に捕捉しても不活性化させることができない。また、水分を噴霧等によって補給した場合にも、水分が経時的に蒸散、気化するために効果を持続させることは困難であった。
【０００７】
【特許文献１】特開昭６１−４４８２１号
【特許文献２】特開平６−２７９２７３
【発明の開示】
【発明が解決しようとする課題】
【０００８】
環境中のアレルゲンを不活性化し、アレルギーの原因とならない抗アレルゲン繊維及び繊維製品を提供することが、本発明の課題である。
【課題を解決するための手段】
【０００９】
本発明者は、このような課題を解決するため、鋭意研究の結果、アレルゲンに反応しアレルゲンを不活性化する化合物（以下、不活性化剤）と吸湿性無機化合物の混合物を繊維製品に担持させることにより、アレルゲンを不活性化し、あるいはアレルギーの原因となることのない繊維及びマスク、寝具、絨毯、畳、カーテン、ぬいぐるみ、集塵袋等の繊維製品を提供できることを見いだし、本発明に至った。
【００１０】
すなわち、本発明はアレルゲン不活性化剤と吸湿性無機化合物の混合物を含有することを特徴とする抗アレルゲン繊維及び繊維製品である。
【発明の効果】
【００１１】
上記の方法を用いることにより、環境中のアレルゲンを不活性化するための抗アレルゲン繊維及び繊維製品を提供することができる。
【発明を実施するための最良の形態】
【００１２】
本発明に用いる不活性化剤は特に制限されないが、タンニン酸、ガロタンニン、エピカテキンガレート、エピカテキン、エピガロカテキン、エピガロカテキンガレート等のポリフェノール類さらには茶抽出物、柿渋、没食子酸等が挙げられ、特にタンニン酸、ガロタンニン、エピカテキンガレート、エピカテキン、エピガロカテキン、エピガロカテキンガレートが好ましく、さらにタンニン酸がより好ましい。本発明の吸湿性組成物には、アルカリ土類金属塩が挙げられ、マグネシウムまたはカルシウムの塩化物または硫酸塩を用いることができる。特に塩化カルシウムと塩化マグネシウムが好ましい。カルシウム塩はこれ自身がアレルゲン不活性化性能を持つため、アレルゲン不活性化剤と吸湿剤を兼ねた製剤とすることも可能である。
【００１３】
本発明の抗アレルゲン繊維及び繊維製品におけるアレルゲン不活性化剤の含有率は通常、０．０１〜７０重量％であり、より好ましくは０．１〜５０重量％である。本発明の抗アレルゲン繊維及び繊維製品における吸湿性無機化合物の含有率は通常、０．０１〜７０重量％であり、より好ましくは０．５〜２５重量％である。アレルゲンを除去、不活性化する繊維製品に関して特に制限されないが、例えば絨毯、畳、ふとんや枕等の寝具、マスク、カーテン、ぬいぐるみ、電気掃除機の集塵袋等に用いることができる。
【００１４】
本発明の抗アレルゲン繊維製品は、アレルゲン不活性化剤を処理することによって得られる。アレルゲン不活性剤組成物の剤型は特に制限されず、液状、粉体状及びペースト状等、どのような剤型でも差し支えないが、液状の組成物を繊維製品に加工するのが最も容易で有効である。アレルゲン不活性化剤を繊維製品に加工するとき、乾燥後の粉立ちを防ぐために水溶性の樹脂を添加することが好ましい。このような水溶性樹脂は特に限定されないが、ポリビニルアルコール、ポリアクリル酸（塩）ポリエチレングリコール、ポリビニルピロリドン等が挙げられる。
【００１５】
本発明抗アレルゲン繊維製品には、屋内塵性ダニのアレルゲン除去を目的に使用する場合、殺ダニ剤と同時に加工することにより、そのアレルゲン不活性化効果をさらに持続させることも可能である。使用する殺ダニ剤は、屋内塵性ダニに対して致死効果や忌避効果のあるものであれば、特に限定はなく、例えば、ベンジルアルコール、ベンジルベンゾエート、サリチル酸フェニル、シンナムアルデヒド、ヒソップ油、ニンジン種子油等を用いることができ、また天然ピレトリン、フェノトリン、ペルメトリン等のピレスロイド系化合物、フェニトロチオン、マラチオン、フェンチオン、ダイアジノン等の有機リン系化合物、ジコホル、クロルベンジレート、ヘキシチアゾクス、テブフェンピラド、ピリダベン等を用いることができる。
【００１６】
本発明抗アレルゲン繊維製品は、製品上で吸湿剤の作用により水分を保持させるため、カビあるいは菌の増殖が懸念される場合がある。そのために防カビ剤または抗菌剤を同時に繊維製品に加工することもしくは併用することが可能である。防カビ剤または抗菌剤の種類は防カビまたは抗菌効果を有するものであれば特に限定されないが、例えば、５−クロロ−Ｎ−メチルイソチアゾロン、メチレンビスチオシアネート、２−ブロモ−２−ニトロプロパン−１，３−ジオール、グルタルアルデヒド、ヨードプロピニルブチルカーバメート、ピリジンチオール−Ｎ−オキシドの亜鉛塩、１，２−ベンゾイソチアゾロン、１，２−ジブロモ−２，４−ジシアノブタン、グルコン酸クロルヘキシジン、２−イソプロピル−５−メチルフェノール、３−メチル−４−イソプロピルフェノール、オルトフェニルフェノール、パラオキシ安息香酸メチル、パラオキシ安息香酸エチル、パラオキシ安息香酸プロピル、パラオキシ安息香酸ブチル、パラクロロメタキシレノール、パラクロロメタクレゾール、ポリリジン、塩化ベンザルコニウム、塩化ジデシルジメチルアンモニウム、塩化セチルピリジニウム、Ｎ−ｎ−ブチルベンゾイソチアゾロン、Ｎ−オクチルイソチアゾロン、２−（４−チアゾリル）ベンズイミダゾール、２−ベンズイミダゾリルカルバミン酸メチル、テトラクロロイソフタロニトリル、ジヨードメチルパラトリルスルホン、パラクロロフェニル−３−ヨードプロパギルホルマール、２，３，５，６−テトラクロロ−４−（メチルスルホニル）ピリジン、脂肪酸グリセリンエステル、ヒノキチオール等を用いることができる。
【００１７】
本発明の使用により、ハウスダスト中のダニ由来のアレルゲン、イヌやネコなどのペットの毛や上皮、ゴキブリ、羽毛、カビ由来のアレルゲン、及び植物アレルゲンをほぼ完全に不活性化することができ、多種のアレルゲンを実質的に減少させることができる。よって本発明は、環境中のアレルゲンがハウスダスト中のダニアレルゲンや植物アレルゲンの場合に特に効果的に作用するものである。
（実施例）
【００１８】
本発明を実施例により更に詳しく説明するが、本発明がこれらによって限定されることはない。
（抗アレルゲン実施製剤例１〜２および比較製剤例）
【００１９】
表１に示す組成のものを、充分攪拌することにより、均一な溶液を得た。なお、表１に示した配合比率はすべて重量％である。
【００２０】
【表１】
2005273099.tif 000002
（製造例１）抗アレルゲン寝具
【００２１】
木綿の布または不織布を実施製剤例１に浸漬し、風乾する。この処理布を縫製することにより、容易に抗アレルゲンシーツ、抗アレルゲン布団カバー等を製造することができる。
（製造例２）抗アレルゲン畳
【００２２】
実施製剤例２を畳表１ｍ２あたり５０ｍｌスプレー処理し、自然乾燥させることにより、本発明の抗アレルゲン畳を得ることができる。
【実施例１】
【００２３】
実施製剤例１を処理した不織布のダニアレルゲンに対する不活性化効果の確認  ：
目付が約２０〜２５ｇ／ｍ２の不織布を６cm×６cmに切り取り、実施製剤例１または比較製剤例１に浸漬し、そのまま絞らずに風乾させ、それぞれ実施例１と比較例１とした。この不織布にダニアレルゲンをおよそ５００μｇ／ｇ含む標準ハウスダストを０．０３ｇずつまんべんなくのせた。一晩放置した後、不織布をチャック付きビニル袋に入れ、スキムミルクを１０重量％含むリン酸緩衝液１０mlを入れてダニアレルゲンを抽出した。抽出液を遠心機にかけ（１２，０００ｒｐｍ，６０ｍｉｎ）、上澄み液を酵素免疫測定法（ＥＬＩＳＡ法）でダニアレルゲン量を測定した。また、実施製剤例１または比較製剤例１のかわりに水を使用した不織布についても試験も行い、コントロールとした。抗アレルゲン処理不織布による不活性化率を式１で表し、結果を表２に示した。
（式１）不活性化率（％）＝｛１−（ダニアレルゲン量製造例試料／ダニアレルゲン量比較例試料）｝×１００
【００２４】
【表２】
2005273099.tif 000003